(57)【特許請求の範囲】
【請求項１】
物を収納して持ち運ぶための第１の物品と、この第１の物品から独立した機能と用途とを有する第２の物品の組み合わせであって、
第１の物品は、上面に開口を有する鞄であって、巾広の前後両面と前後両面より巾狭の左右側面と底面とから成る外表面全体を、第２の物品を取り付けるための連続した外側付着面として形成しており、
第２の物品は、小銭、切符、定期券などを収納するための収納具であって、平坦な一側面を被付着面とし、
上記外側付着面を面ファスナーの雌部で、第２の物品の被付着面を面ファスナーの雄部でそれぞれ形成して、
この外側付着面から第２の物品を剥がしたときに剥離音を生ずるように、
かつ第２の物品を、外側付着面を構成する第１の物品の前面、後面、左側面、右側面又は底面の何れにも仮止めすることが可能に設けることができるように構成し、
さらに第２の物品を、外側付着面である第１の物品の前面、後面、左側面、右側面、又は底面の任意の一部に確実に取り付けることができるように、第２の物品の形状を、被付着面に形成した平坦な一側面の縦及び横の寸法に比べて厚みの小さい全体として偏平な形状とし、
上記第２の物品の一側面の面積を、それら第１の物品の前面、後面、左側面、右側面、又は底面の面積の何れよりも小さくし、
さらに第２の物品のサイズを、上記外側付着面を構成する第１の物品の前面、後面、左側面、右側面又は底面のいずれからもはみ出さずに取り付けることが可能な大きさとし、
上記第２の物品は、装飾材としての機能を兼ねており、この装飾材の裏面の周辺部を被付着面とするとともに、裏面の中心部に上面開口のポケットを形成したことを特徴とする、
面ファスナーを利用した相互に着脱自在な複数物品の組み合わせ。
【請求項２】
上記第1の物品は、面ファスナーの雌材を基材として形成したことを特徴とする、請求項１記載の面ファスナーを利用した相互に着脱自在な複数物品の組み合わせ。
【発明の詳細な説明】
【技術分野】
【０００１】
本発明は、面ファスナーを利用した相互に着脱自在な複数物品の組み合わせに関する。
【背景技術】
【０００２】
従来、向かい合う２つの板材の一方にフック状又はマッシュルーム状の係合部（雄部）を、他方にループ状の被係合部（雌部）を植設してなる面ファスナーが知られている（特許文献１、特許文献２）。
【０００３】
こうした面ファスナーの利用方法として、物を拘束するためのバンド状（又はテープ状）の連結具であって、両端部の対応箇所にそれぞれ雄部及び雌部を形成したものが知られている（特許文献３）。また、こうしたバンド状の連結具を、靴紐の代わりに靴の構造に取り入れたり（特許文献４）、リュックサックの外表面に設けた小袋の口を塞ぐ蓋を固定すること（特許文献５）が知られている。
【０００４】
また釣り人の指に嵌めるフィンガープロテクターに付設した帯状のリストバンドの片面のうち先端部を雄部で、残りの部分を雌部で形成し、このバンドを手首に巻いて雌雄材を連結して固定すること行われている（特許文献６）。
【０００５】
更にまた、ループ状の毛で形成された布地で出来た動物のぬいぐるみに、その動物の肢や胴などを覆うように形成した装飾用の植毛パーツを着脱自在に取り付けることができるように設けた玩具（特許文献７）も提案されている。
【特許文献１】米国特許第７０５２６３８号
【特許文献２】特開平６−１８９８０９号
【特許文献３】特開２００３−２２６３５６
【特許文献４】特開２０００−１５２８０５
【特許文献５】特開２００１−１９０３２９
【特許文献６】特開２００１−０４５９３８
【特許文献７】特開２００５−２７０２６９
【特許文献８】特開２００５−２７０２６９
【特許文献９】特開平５−１５４００９
【発明の開示】
【発明が解決しようとする課題】
【０００６】
特許文献４の靴、特許文献５のリュックサック、及び特許文献６のフィンガープロテクターでは、一つの物品の特定の部位同士を連結するために面ファスナーを利用しているだけであり、また、特許文献７のぬいぐるみも、物品の特定部分に対応した装飾パーツを提案しているに過ぎない。
【０００７】
しかしながら、現代人のライフスタイルは昔に比べてせわしなくなっており、そうしたスタイルにあった、より使い勝手のよいものが求められている。
【０００８】
例えば鞄を持って外出する途中で、携帯電話・小銭入れ・定期入れ・旅行用のガイドブックなどの小物類を使用することが少なくないが、そうした小物類を鞄の中や鞄の小袋に入れていると、取り出しが不便である。これらの小物類を上着の内ポケットに入れておければよいが、Ｔシャツなどの軽装で出かけるときには、服に内ポケットそのものがないこともある。こうした場合に、鞄や衣服の外面に一時的にそれら小物類などを仮止めできると便利である。
【０００９】
また近年では機能性とともに、装飾性にも優れていることが需要者から要求されている。このために設計デザイナーは鞄や衣類などのデザインに創意・工夫を施しているが、それにしても同じデザインでは飽きられ易い。そこで面ファスナーを利用して意匠に変化をつけることができれば好適である。
【００１０】
本発明は、そうした観点から、物を収納して持ち運ぶための物品と、他用途の物品と組み合わせる構造において、面ファスナーを用いて当該物品の取付けの自由度と利便性を高め、或いは装飾具として飽きのこないデザインを提供できる複数物品の組み合わせを提供することを目的とする。
【課題を解決するための手段】
【００１１】
第１の手段は、物を収納して持ち運ぶための第１の物品と、この第１の物品から独立した機能と用途とを有する第２の物品の組み合わせであって、
第１の物品は、上面に開口を有する鞄であって、巾広の前後両面と前後両面より巾狭の左右側面と底面とから成る外表面全体を、第２の物品を取り付けるための連続した外側付着面として形成しており、
第２の物品は、小銭、切符、定期券などを収納するための収納具であって、平坦な一側面を被付着面とし、
上記外側付着面を面ファスナーの雌部で、第２の物品の被付着面を面ファスナーの雄部でそれぞれ形成して、
この外側付着面から第２の物品を剥がしたときに剥離音を生ずるように、
かつ第２の物品を、外側付着面を構成する第１の物品の前面、後面、左側面、右側面又は底面の何れにも仮止めすることが可能に設けることができるように構成し、
さらに第２の物品を、外側付着面である第１の物品の前面、後面、左側面、右側面、又は底面の任意の一部に確実に取り付けることができるように、第２の物品の形状を、被付着面に形成した平坦な一側面の縦及び横の寸法に比べて厚みの小さい全体として偏平な形状とし、
上記第２の物品の一側面の面積を、それら第１の物品の前面、後面、左側面、右側面、又は底面の面積の何れよりも小さくし、
さらに第２の物品のサイズを、上記外側付着面を構成する第１の物品の前面、後面、左側面、右側面又は底面のいずれからもはみ出さずに取り付けることが可能な大きさとし、
上記第２の物品は、装飾材としての機能を兼ねており、この装飾材の裏面の周辺部を被付着面とするとともに、裏面の中心部に上面開口のポケットを形成した。
【００１２】
本手段では、利用者の所持品を、鞄のように、人が直接手に持つなどして運ぶもの（第１の物品）と、小銭入れのように間接的に保持することが多いもの（第２の物品）とに分け、その第1の物品の外表面に形成した外側付着面に、第２の物品を一時的に仮止めできるようにしたものである。いわばこの外側付着面が鞄などのポケットの代わりの役目を果たすことになる。取付けの手段としては、雌雄の面ファスナーを用いる。第２の物品は、第１の物品よりも小さなものを主として想定しており、かつ装飾材を兼ねる。これについては後述する。
【００１３】
「第１の物品」は、物を持ち運ぶためのもの、具体的には鞄である。本明細書において、「鞄」とは、面ファスナーの雌材（布地に多数雌部を植設してなる素材をいう）を表面材又は基材として用いて、さまざまな物を入れるように形成した携帯用具をいい、リュックサックやランドセルなどを含む。但し特定の物品の表面を覆う布状のカバーや風呂敷などは対象外である。その特定物品を保持する前提として「鞄」自体がある程度の定形性と強度を有することが必要だからである。
【００１４】
「第２の物品」は、面ファスナーの雄部を付設するに十分な面（以下被付着面という）を有する物品であり、装飾材を兼ねるものである。この被付着面は平坦であることが望ましく、また、第２の物品は、この被付着面に対して直角な方向に背の低い、全体としてやや偏平な形状であると、より確実に取り付けることができる。好適な物品としては小銭入れなどである。なお、収納具以外の携帯電話、キーホルダー、小型の本（ガイドブックや地図の本など）を第３の物品として、第２の物品と同様に面ファスナーで取り付け可能としてもよい。
【００１５】
第２の物品は、第１物品から独立した機能と用途を有する。機能的に見て第１の物品に不可欠なものや当該物品に付随するもの（部品や付属品）を除外する意味である。
【００１６】
「面ファスナー」とは、互いに向き合う２面にそれぞれ多数の係合部（雄部）及び被係合部（雌部）が植え付けられており、これら係合部と被係合部とが相互に着脱自在に結合できるように設けたものである。一般に雌部としては、ループ状のものを、雄部としてはフックのもの、又はマッシュルーム状のものを用いることが多いが、これと同等の機能を有すればどんなものでも構わない。
【００１７】
いろいろな種類の係合手段のうち、特に雄部及び雌部からなる面ファスナーを選択したのは、外側付着面のどこにでも付着する自在性の他に、係合部分を剥離させる際に固有の剥離音を生ずることを考慮したものである。この剥離音により、第２の物品が外側付着面から不正に剥離することを防止できる。この剥離音は、雄部を雌部から強制的に引き剥がすことに生ずるものであり、剥離音を生ずることは面ファスナーの一般的な特性である。近年では、雌部及び雄部に柔らかい素材を用いて剥離音を小さくした面ファスナーも提案されているが（特許文献８参照）、こうした特殊な構造としても音が無くなるわけではない。特許文献８から理解できるように、剥離音は、素材の剛性に、換言すれば雄部及び雌部の係合力に応じて大となり、従って第２の物品を確実に外側付着面に保持できるように面ファスナーを設計すれば必然的に所要の大きさの剥離音を生ずる。
【００１８】
「外側付着面」は、第１の物品の表面上に物品を保持する機能を有する。従来の鞄などには、表面に物品を保持するためのポケットなどの工夫が施されているが、面ファスナーによる外側付着面はポケットなどに代わるものであり、従って、第１の物品の外観をシンプルにすることができる。もっとも後述のように物品表面の面ファスナーの素材の上にポケット（好ましくは同様の素材で出来たポケット）を設けることも可能である。外側付着面は、面ファスナーの雌部を用いて形成され、第２の物品側の雄部と着脱自在になっている。雄部及び雌部のうち特に雌部を用いるのは、雄部を主とした面ファスナーを、鞄や衣類の如く人の皮膚に触れる物品の外表面材とすると肌触りが非常に悪くなるからである。もっとも最近では、この肌触りを改善するため、雄部（フック）と、これよりやや背の高い雌部（ループ）とを半分ずつ一つの面に混在させたフック・ループ混在型の面ファスナーも提案されており（特許文献９参照）、こうしたものを用いても良い。上述の「面ファスナーの雌部を用いて」とは、雌部のみを用いてという意味に限定されるものではなく、雌部の触感がおおよそ実現されていれば良いものとする。
【００１９】
面ファスナーに関して、「外表面全体」に形成すると限定したのは、第１の物品を見て確認しなくても、利用者が面ファスナーの位置を理解して、第２の物品を取り付けることができるようにしたものである。また、鞄や袋などの内表面にも面ファスナーを形成しても良い。また、外側付着面は、連続した一つの面（好ましくは第１の物品の全面）とすると、通常の布材に比べてやや高価な面ファスナーの素材を無駄なく利用することができ、好適である。しかしながら、必ずしも一つの面とする必要はなく、例えば前面及び後面が、底面及び左右側面に比べて幅広の偏平な鞄の場合には、その前面及び後面を別々に面ファスナーとすることができる。
【００２０】
「装飾材」は、第1の物品の装飾を第1の機能としているが、面ファスナーを施していない物品を保持するという第２の機能を併せ持っている。例えば旅行先で購入した切符などをかばんと装飾材との間に挟んでおくようにすると、確実に補助できるとともに、直ちに取り出すことができて便利である。その装飾材の裏面の一部には、切符や小銭を入れるためのポケットを付設しても良い。また装飾材は光反射体としての機能を兼備するものでもよい。
【００２１】
物品の装飾としては、裏面を糊面とするワッペンやシールが知られているが、糊面にゴミが付いて接着力が低減するため、何度も張り直すことはできない。本手段では、第１の物品の外側付着面の任意位置に、装飾板などの装飾材としての第２の物品を着脱自在に取り付けることのできる。これにより、第１の物品の表面をキャンバスに見立てて、その上に１又は２以上の装飾材の配置をコーディネートして、新たなデザインを作ったり、これを変更することが容易となる。
【発明の効果】
【００２２】
第１の手段に係る発明によれば、次の効果を奏する。
○第１の物品の外側付着面８は面ファスナーの雌部で形成したから、触り心地が良い。
○外側付着面８は、第１の物品の外表面の全体を占めるから、目で見なくても第２の物品を取り付けることができ、取付けが容易である。
【００２３】
また第１の手段に係る発明によれば、次の効果を奏する。
○第１の物品の外側付着面８に第２の物品を仮止めして一体的に運べるので便利である。
○外側付着面は鞄のポケットの代わりとして物品収納スペースとなり、かつ収納具兼装飾材である第２物品の裏面中央部にポケットを設けたからさらに便利である。
○外側付着面８に付した小銭入れをスリが無理に剥がそうとすると、引っ張り感とともに面ファスナーを剥がすときの固有音が生ずるので、容易に盗難に気づくことができる。
【００２４】
さらに第１の手段に係る発明によれば、次の効果を生ずる。
○上記外側付着面８で装飾材である第２の物品を自由に着脱したり、移動できるから、いわば物品の外表面をキャンバスにして新規なデザインをアレンジすることができる。
○外側付着面８はポケットの代わりとなり、従って第1の物品の外表面にポケットを作る必要がないので、装飾材の取付けに適した平らな面を広く確保でき、装飾効果が高まる。
【発明を実施するための形態】
【００２５】
図１から図５は、本発明の第１の実施形態に係る第１、第２物品の組み合わせを示している。
【００２６】
第１の物品２は、鞄であり、上端開口の周壁４と、この周壁の下面とを閉塞する底壁（図示せず）とを有し、かつ、上記周壁に一対の肩掛け用バンド６を備えている。上記周壁４の上面全体は物品の収納口５に形成する。
【００２７】
この第１の物品２の外面には、面ファスナーの雌部で外側付着面８を形成する。この図示例では、上記周壁４の外面全体を外側付着面にしてもよいが、例えば巾狭の左右側面を除いて、周壁の前面及び後面のみを外側付着面にしてもよく、これとは逆に底壁の下面と周壁の全外面とを内側付着面１４としても良い。この第１の物品は、鞄の強度を確保するために、底板や前後側板の基材を適当な材料で形成し、その上に、多数の雌部を植え付けてなる面ファスナーを貼着して形成すると良い。もっとも、そうした面ファスナーの素材のみで鞄を形成しても構わない。上記外側付着面８は、鞄のポケットの代わりとしての機能を有し、その結果として、図１に示す如く、鞄の外表面全体を凹凸の少ない、ほぼ平坦な形状とすることができる。そうすると、後述の装飾材を取付け面としての外側付着面を広く確保することができ、従って、第１の物品の外面に、利用者が好むデザインをダイナミックに構成することができる。
【００２８】
第２の物品は、上記外側付着面に取り付けられる程度の大きさの物品である。具体的にはワッペンなどの装飾板である。本明細書では、装飾材ではないが、第１の物品とは用途と機能が異なる物品（以下多用途物品という）を、第２の物品の参考例として挙げている。例えば、携帯電話やキーホルダーなどである。その装飾材同士の間で配置を適宜変更することができるのはもちろんであるが、他用途物品の形態も第１の物品のデザインの一部として、従来にない意匠効果を発揮することができるからである。例えば図示例では、鞄の前面に、現実の携帯電話と、電話の絵柄のワッペンとを並べて、鞄のデザインを構成している。
【００２９】
参考例である携帯電話１０Ｃや収納具１０Ａ、本１０Dの場合には、図２に示す如く、その物品の外表面のうち、物品の機能に支障を生じない部分であって最も面積の広いものに雄型の面ファスナーを貼着して、被付着面１２を形成する。また、単なる装飾材の場合には、その裏面全体を雄型の面ファスナーに形成し、表面に模様を形成すればよいが、収納具として兼用する第２の物品においては、裏面の周辺部を雄型の面ファスナーに形成するとともに裏面の中心にポケットを付設する。
【００３０】
上記構成において、第１の物品２である鞄の表面に装飾材兼収納具である第２の物品を取り付けるときには、第２の物品の被付着面１２を鞄の側に向けて、この雄部及び外側付着面８の雌部とを接合させればよい。この外側付着面８は、鞄の外周面全体に亘って形成しているので、利用者が鞄の方に目をやらなくても確実に接合することができる。上記雄部と雌部とが接合された後には、これを再び分離させると必ず剥離音を生ずるため、スリなどが第２の物品を不正に剥がそうとすると、直ちに掏り行為が発覚する。本発明の構成では、第２の物品が第１の物品２の表面に剥き出しになっているので、盗難に対して無防備のようであるが、実際には必ずしもそうではない。鞄の内部に物品を入れておいても、鞄の蓋を閉め忘れたり、あるいは図示例の如く蓋がない場合には、スリによって知らずに品物が盗まれる可能性がある。
【００３１】
上述の鞄の使い方としては、さまざまであるが、以下に好適な例を挙げる。１番目の例は、第２の物品を一時的に外側付着面８に仮留めする場合である。２番目の例は、第２の物品が外側付着面８に張り付いている状態を常態とする場合である。例えば近所に買い物などに出かけるときには、予め小銭入れや携帯電話を鞄２の外側付着面８に取り付けておき、必要に応じてこれら小物類を使用し、使い終わったら、外側付着面に戻せばよい。
【００３２】
図３は、本実施形態の一の変形例であり、鞄の周壁４内部に、面ファスナーの雌部で形成する内側付着面１４を形成したものである。この構成によれば、第２の物品を鞄の内側に装着することができる。
【００３３】
図４は、本発明の更に他の変形例である。この例では、鞄の肩バンドの少なくとも一面全体に面ファスナーの雌材を設けて外側付着面８としたものである。こうすることで肩バンドの任意の場所に携帯電話を取り付けておくことができる。
【００３４】
肩バンドの長手方向全体に代えて、肩バンドの長手方向中間部にのみ、面ファスナー（外側付着面）を形成することも可能である。
【００３５】
尚、図示例では、肩バンドが１本だけであるが、図３に示すように肩バンドを２本としても良く、この場合には、双方の肩バンドの一面に外側付着面８を形成し、２本の肩バンドの両方に跨がって携帯電話を取り付けることができるようにすると、良い。また、各肩バンドの他面の全部又は一部（好ましくは長手方向中間部）に面ファスナーの雄材を設けて被付着面とし、雌雄の面ファスナーを介して、２本の肩バンドを結束できるようにしても良い。
【００３６】
図５及び図６は、本発明の参考例であり、第１物品の参考物品である半ズボン及びリストバンドに装飾材を適用した例である。また、図６は、前述のリストバンド及びパウチを、これらを保持するための支持板２０に取り付けた状態をそれぞれ描いている。尚、支持板は家の壁面などの適所に固定されている。
【００３７】
まず半ズボンに関して述べると、その表面全体は、雌部を利用した面ファスナーで形成した外側付着面８とするものである。図示例では、この外側付着面８に、携帯電話１０Ｃと、装飾材兼用の収納具１０Ａである装飾板とを装着している。
【００３８】
半ズボンに装着した装飾材の裏面の中央部分には、小銭などを入れるための上面開口のポケット１６を付設している。少なくとも裏面の周辺部分を面ファスナーの雌部で形成している。
【００３９】
また、リストバンドは、その外表面の全体を外側付着面８とするとともに、この外側付着面の一半部を、パウチなどを取り付けるための正付着面部分８Ａとして雌部のみで形成し、また他半部を、上記半ズボンに取り付けるための副付着面部分８Ｂとして、雄・雌半分ずつで形成している。
【００４０】
第２の物品１０Ａであるパウチは、小型のバック型の形状で、その表面の一側部に雄部のみで形成する被付着面１２としている。また、パウチの裏面には、雌雄何れか一方又は双方で形成したパウチ支持面１８としている。ここで、パウチの被付着面１２全体の係合力（この面に付設された各雄部の係合力の和）は、パウチ支持面１８の全体の係合力（この面に付された各雄部の係合力の総和、又は各雌部の係合力の総和）よりも小さく設定するとよく、そうすると、握力の弱い高齢者らにとっても、パウチをリストバンドから支持板２０へ移動させるのが容易となる。
【００４１】
上記の構成において、図６に想像線で描くように、第１の物品２であるリストバンドに手を通した状態で、そのリストバンドの正付着面８Ａを、第２の物品１０Ａであるパウチの被付着面１２に重ねて接合させ、次にその手をパウチの片面にかけて、そのまま引っ張る。そうすると、パウチ支持面１８と支持板２０の表面とが剥離して、この支持板からパウチを分離させることができる。それと同時にパウチは被付着面１２を介してリストに連係するから、手先の不自由な利用者でもパウチを床に落したりすることなく、保持することができる。尚、利用者の手先の障害の程度に応じて、必要であればもう片方の手をパウチの片面に添えても良い。
【００４２】
また、パウチを支持板２０に戻すときには、パウチのパウチ支持面１８を支持板２０の表面に重ねて接触させた後に、支持板に対して垂直に腕を離せばよい。そうすると、パウチ支持面１８の係合力に比べて、被付着面保１２の係合力が小さく設定されているため、この被付着面とリストバンドの正付着面部分８Ａとが剥離し、容易にパウチをリストバンドから支持面に移動させることができる。尚、支持板２０に代えて例えば図１の鞄の表面に対する着脱も同様の手順で行うことができる。
【００４３】
図７は、本発明の参考例である。この例では、第１の物品２である鞄の前面を外側付着面８として、この面に、２匹のヒヨコを表す装飾材１０Ｂ、及び、ハートマークの一半及び他半を表す装飾材１０Ｂを用いて、これを組み合わせることでレイアウトを変更する例を表している。
【図面の簡単な説明】
【００４４】
【図１】本発明の第1の実施形態に係る物品の組み合わせの斜視図である。
【図２】図１の組み合わせに係る第２の物品の斜視図である。
【図３】図１の組み合わせの変形例を示す図である。
【図４】図１の組み合わせの他の変形例を示す図である。
【図５】本発明の参考例に係る物品の組み合わせの斜視図である。
【図６】同例の使用形態を示す図である。
【図７】本発明の参考例を示す正面図である。
【符号の説明】
【００４５】
２…第１の物品（鞄）  ４…周壁  ５…収納口  ６…肩掛け用バンド  
７…リストバンド  ８…外側付着面  
１０Ａ…収納具  １０Ｂ…装飾材  １０Ｃ…携帯電話  １０Ｄ…本
１２…被付着面  １４…内側付着面
１６…ポケット  １８…パウチ支持面  ２０…支持板
【図７】
0004673277.tif 000002
【図１】
0004673277.tif 000003
【図２】
0004673277.tif 000004
【図３】
0004673277.tif 000005
【図４】
0004673277.tif 000006
【図５】
0004673277.tif 000007
【図６】
0004673277.tif 000008